(57)【特許請求の範囲】
【請求項１】
底板と、前板と、後板と、一対の側板とを有し、上方が開口する四角筒状の下容器と、  下容器に、下容器の後板側から前板側に向って摺動自在に装着されて下容器を密閉し、天板と、後板と、一対の側板とを有する蓋体とを備え、
下容器の各側板の前板側に段部を介して内側に入り込んでいる内側板部が前記側板と一体に形成され、各内側板部外方に下容器の前板から内側板部と平行に延びる作用板が設けられ、
前記下容器の一対の側板は、前記底板と、前記後板とに連結され、前記下容器の一対の内側板部は、前記底板と、前記前板とに連結されて、前記蓋体で密閉される前記下容器が形成され、
各作用板の後方端に係合段部を介して係合片が設けられ、
下容器を蓋体で密閉した場合、蓋体の各側板は下容器の対応する側板上および対応する係合片上に重なり合い、かつ蓋体の各側板の前方端は下容器の係合段部に当接し、
下容器の各係合片に係合部が設けられ、蓋体の対応する側板に係合片の係合部に係合する係止部が設けられていることを特徴とするチャイルドロック付摺動自在容器。
【請求項２】
下容器の各係合片の係合部は外方へ突出する突起からなり、蓋体の側板の係止部は内方へ引込み突起を受け入れる溝部からなることを特徴とする請求項１記載のチャイルドロック付摺動自在容器。
【請求項３】
蓋体の天板裏面に内方へ突出する第１天板突起が設けられ、蓋体を密閉時から開方向へ摺動させる際、第１天板突起は下容器の後板に当接して蓋体の摺動作用に抵抗を与えることを特徴とする請求項１又は２記載のチャイルドロック付摺動自在容器。
【請求項４】
蓋体の天板裏面に内方へ突出する第２天板突起が設けられ、蓋体を密閉時から開方向へ摺動させる際、第２天板突起は下容器の後板に当接して蓋体の開度を定めることを特徴とする請求項１乃至３のいずれか記載のチャイルドロック付摺動自在容器。
【発明の詳細な説明】
【技術分野】
【０００１】
本発明は、内容物収納用の容器に係り、とりわけ子供のいたずら等による事故防止を目的としたチャイルドロック付摺動自在容器に関する。
【背景技術】
【０００２】
従来より、固形薬あるいはカプセル等の内容物を収納するため、摺動自在容器が用いられている。このような摺動自在容器は、内容物を収納する下容器と、この下容器に対して摺動自在に装着されて下容器を密閉する蓋体とを有している。
【０００３】
摺動自在容器内には固形薬あるいはカプセル等の内容物が収納されるが、子供が容器を開いて内容物である固形薬あるいはカプセル等を取り出すことも考えられる。
【０００４】
従来より、子供のいたずら等による事故防止を目的とした容器がいくつか開発されているが、簡単な構造でかつ子供のいたずら等による事故防止を確実に実行することができる容器は未だ開発されていないのが実情である。
【先行技術文献】
【特許文献】
【０００５】
【特許文献１】特開２００３−２６１１６２号
【特許文献２】特表２０１１−５１６３５６号
【発明の開示】
【発明が解決しようとする課題】
【０００６】
本発明はこのような点を考慮してなされたものであり、子供のいたずら防止機能を図ることができる容器であって、簡単な構造で取扱いが容易となるチャイルドロック付摺動自在容器を提供することを目的とする。
【課題を解決するための手段】
【０００７】
本発明は、底板と、前板と、後板と、一対の側板とを有し、上方が開口する四角筒状の下容器と、下容器に、下容器の後板側から前板側に向って摺動自在に装着されて下容器を密閉し、天板と、後板と、一対の側板とを有する蓋体とを備え、下容器の各側板の前板側に段部を介して内側に入り込んでいる内側板部が前記側板と一体に形成され、各内側板部外方に下容器の前板から内側板部と平行に延びる作用板が設けられ、前記下容器の一対の側板は、前記底板と、前記後板とに連結され、前記下容器の一対の内側板部は、前記底板と、前記前板とに連結されて、前記蓋体で密閉される前記下容器が形成され、各作用板の後方端に係合段部を介して係合片が設けられ、下容器を蓋体で密閉した場合、蓋体の各側板は下容器の対応する側板上および対応する係合片上に重なり合い、かつ蓋体の各側板の前方端は下容器の係合段部に当接し、下容器の各係合片に係合部が設けられ、蓋体の対応する側板に係合片の係合部に係合する係止部が設けられていることを特徴とするチャイルドロック付摺動自在容器である。
【０００８】
本発明は、下容器の各係合片の係合部は外方へ突出する突起からなり、蓋体の側板の係止部は内方へ引込み突起を受け入れる溝部からなることを特徴とするチャイルドロック付摺動自在容器である。
【０００９】
本発明は、蓋体の天板裏面に内方へ突出する第１天板突起が設けられ、蓋体を密閉時から開方向へ摺動させる際、第１天板突起は下容器の後板に当接して蓋体の摺動作用に抵抗を与えることを特徴とするチャイルドロック付摺動自在容器である。
【００１０】
本発明は、蓋体の天板裏面に内方へ突出する第２天板突起が設けられ、蓋体を密閉時から開方向へ摺動させる際、第２天板突起は下容器の後板に当接して蓋体の開度を定めることを特徴とするチャイルドロック付摺動自在容器である。
【発明の効果】
【００１１】
以上のように本発明によれば、きわめて簡単な構造をもち、取扱いが容易となり、かつ子供のいたずら等による事故防止機能をもったチャイルドロック付摺動自在容器を実現することができる。
【図面の簡単な説明】
【００１２】
【図１】図１は本発明によるチャイルドロック付摺動自在容器を示す斜視図。
【図２】図２は下容器を示す平面図。
【図３】図３は下容器を示す側面図。
【図４】図４は下容器を示す側断面図。
【図５】図５は下容器を後板からみた図。
【図６】図６は蓋体を示す平面図。
【図７】図７は蓋体を示す側面図。
【図８】図８は蓋体を示す側断面図。
【図９】図９は蓋体を示す裏面図。
【発明を実施するための形態】
【００１３】
以下、図面を参照して本発明の実施の形態について説明する。
【００１４】
図１乃至図９は本発明によるチャイルドロック付摺動自在容器の一実施の形態を示す図である。
【００１５】
図１乃至図９に示すように、チャイルドロック付摺動自在容器１は、底板３と、前板４と、後板５と、一対の側板６、６とを有し、上方が開口する四角筒状の下容器２と、下容器２に下容器２の後板５側から前板４側へ向って摺動自在に装着されて下容器２を密閉する蓋体２０とを備えている。
【００１６】
このうち蓋体２０は、下容器２の開口を覆う天板２１と、後板２２と、一対の側板２３、２３とを有しており、蓋体２０の前方側は開口してこの前方側開口を下容器２の後板５から前板４側に向って移動させることにより蓋体２０が装着されている。
【００１７】
このような構成からチャイルドロック付摺動自在容器１の下容器２および蓋体２０のいずれもＡＢＳ、ＰＰ、ＰＥ、ＰＳ、ＰＣ等の合成樹脂で出来ており、射出成形により作製される。
【００１８】
またチャイルドロック付摺動自在容器１内には、内容物Ｔとして固形薬又はカプセルシガレット、無煙たばこ製品、口腔用たばこ製品、シガリロなど一連のたばこ製品等が収納される。
【００１９】
次にチャイルドロック付摺動自在容器１の各部の構成について説明する。
【００２０】
まず下容器２は、上述のように、底板３と、前板４と、後板５と、一対の側板６、６とを有する四角形筒状をなしている。そして下容器２の各側板６、６の前板４側に段部１６を介して側板が内側に入り込んで内側板部７が形成されている。また各内側板部７の外方には、前板４から内側板部７と平行に延びる作用板８が内側板部７と所定間隔をおいて設けられている。
【００２１】
さらに各作用板８の後方端（後板５側の端部）には、係合段部９を介して内側に係合片１０が設けられている。そしてこの係合片１０の外面には外方へ突出する突起（係合部）１１が設けられ、この突起１１は後述する蓋体２０の側板２３内面に設けられた溝部（係止部）２６内に受け入れられて溝部２６により係合される。
【００２２】
また各作用板８を外方から内方へ向って押圧することにより、作用板８および係合片９が内方へ撓んで下容器２側の突起１１と蓋体２０側の溝部２６との係合が解除される。
【００２３】
また下容器２に対して蓋体２０を装着し、下容器２を蓋体２０により密閉した場合、蓋体２０の各側板２３は下容器２の対応する側板６上および対応する係合片１０上に重なり合う。このとき同時に、蓋体２０の各側板２３の前方端２３ａは下容器２の作用板８の係合段部９に当接し、下容器２に対して蓋体２０が位置決めされ、下容器２が蓋体２０によって完全に密閉される。
【００２４】
さらにまた下容器２には、一対の側板６、６および後板５の下端から外方へ突出する周縁突起１３が設けられている。
【００２５】
この周縁突起１３は、一側の側板６、６および後板５に沿って周状に延びるとともに、底板３と同一平面上に設けられている。
【００２６】
そして下容器２に対して蓋体２０を装着して摺動させた場合、蓋体２０の側板２３の下端がこの周縁突起１３上に沿って案内される。
【００２７】
同様に下容器２の各側板６、６外面には、周縁突起１３の直上に水平方向に直線上に延びる案内溝部１５が設けられている。また蓋体２０の一対の側板２３内面には、下容器２の側板６の案内溝部１５内に嵌合する案内突起２５が水平方向に直線上に延びている。
【００２８】
そして下容器２に対して蓋体２０を装着して摺動させた場合、蓋体２０の案内突起２５が下容器２の案内溝部１５に沿って案内される。
【００２９】
さらに図６乃至図９に示すように、蓋体２０の天板２１の裏面には内方へ突出する第１天板突起２８と第２天板突起２９とが設けられている。
【００３０】
このうち蓋体２０の第１天板突起２８は、天板２１の裏面のうち後板２２側に寄って設けられて、第２天板突起２９は天板２１の裏面のうち中央寄りに設けられている。
【００３１】
第１天板突起２８は、密閉時から蓋体２０を開方向へ摺動させる際、下容器２の後板５に当接して蓋体２０の開方向への摺動作用に抵抗を付与する。このことにより例え下容器２の突起１１と蓋体２０の溝部２６との係合が解除しても、下容器２に対して蓋体２０が簡単に開方向へ摺動しないようになっている。
【００３２】
また第２天板突起２９は、蓋体２０を更に開方向へ摺動させる際、下容器２の後板５に当接して蓋体２０の移動を阻止し、このことにより蓋体２０の下容器２に対する開度を定めるようになっている。
【００３３】
さらにまた、図３に示すように下容器２の作用板８の外面には、開閉作動時に指が滑らないよう滑り止め８ａが設けられている。
【００３４】
次にこのような構成からなる本実施の形態の作用について説明する。
【００３５】
まず、内容物Ｔが収納された下容器２に蓋体２０が装着される。この場合、蓋体２０を下容器２に対して後板５側から前板４側に向って摺動しながら装着することができ、下容器２は蓋体２０により密閉される。
【００３６】
この状態では、下容器２の一対の側６、６上および一対の係合片１０、１０上に蓋体２０の各側板２３、２３が重なり合う。また蓋体２０の各側板２３、２３の前方端２３ａ、２３ａが対応する下容器２の係合段部９に当接し、蓋体２０は密閉位置に位置決められる。
【００３７】
また下容器２の係合片１０、１０に設けられた突起１１、１１が、蓋体２０の側板２３、２３に設けられた溝部２６、２６に係合している。このことにより、蓋体２０の開方向への移動が阻止される。
【００３８】
従って、子供が誤って蓋体２０を開けて下容器２内に収納された固形薬又はカプセル等を外方へ取り出すことはできない。
【００３９】
次に蓋体２０を開ける場合、まず下容器２に設けられている一対の作用板８を内方へ押圧する。このことにより一対の作用板８および係合片１０を同時に内方へ撓ませることができ、係合片１０の外面に設けられた突起１１を蓋体２０の側板２３の内面に設けられた溝部２６から解除することができる。この状態で蓋体２０を開方向（下容器２の前板４から後板５へ向う方向）へ摺動させる。
【００４０】
この場合、まず蓋体２０の密閉時から開方向への摺動開始直後に、蓋体２０の第１天板突起２８が下容器２の後板５に当接し、蓋体２０の摺動作用に抵抗を与える。このことにより、例え下容器２の突起１１と蓋体２０の溝部２６との係合が解除しても、蓋体２０を容易に摺動させて開くことを防止することができる。
【００４１】
次に蓋体２０を更に開方向へ摺動させることにより、蓋体２０の第１天板突起２８が下容器２の後板５上端を乗り越え、蓋体２０は開方向へ更に摺動する。
【００４２】
次に蓋体２０の第２天板突起２９が下容器２の後板５上端に当接して、蓋体２０の開方向へ摺動が規制される。このことにより下容器２に対する蓋体２０の開度が定まる。
【００４３】
この状態で下容器２内に収納されている内容物Ｔを外方へ取り出すことができる。
【００４４】
以上のように本実施の形態によれば、子供が誤って下容器２内に収納された固形薬又はカプセル等の内容物を外方へ取り出すことを未然に防ぐことができる。
【００４５】
また下容器２から蓋体２０を開方向へ摺動させる場合、まず下容器２の突起１１を蓋体２０の溝部２６から外す必要がある。この場合、下容器２の一対の側板６、６前方に配設された一対の作用板８、８を内方へ押圧するだけで、作用板８、８および作用板８、８に連結された係合片１０、１０を直接的に撓ませることができ、このことにより係合片１０、１０に設けられた突起１１と蓋体２０側の溝部２６との係合を解除することができる。このように一対の作用板８、８を内方へ押圧するだけで、作用板８、８に連結された係合片１０、１０を直接的に撓ませることによって係合片１０、１０の突起１１と蓋体２０側の溝部２６との係合を解除することができるので、突起１１と溝部２６との係合をきわめて簡単な操作で解除することができる。また下容器２に蓋体２０を密閉した場合、下容器２と蓋体２０とを係合片１０の突起１１と蓋体２０の溝部２６とからなるきわめて簡単な構造により係止することができる。
【００４６】
また、下容器２の作用板８、８は、側板６、６が内側に入り込んでいる内側板部７、７の外方に内側板部７、７と所定間隔をおいて平行に設けられているので、作用板８、８を内方へ押圧した場合、作用板８、８および作用板８、８に連結された係止片１０、１０の内方への撓み量を大きく取ることができ、このことにより下容器２側の突起１１と蓋体２０側の溝部２６との係合を容易かつ確実に解除することができる。
【符号の説明】
【００４７】
１  チャイルドロック付容器
２  下容器
３  底板
４  前板
５  後板
６  側板
７  内側板部
８  作用板
９  係合段部
１０  係合片
１１  突起
２０  蓋体
２１  天板
２２  後板
２３  側板
２６  溝部
２８  第１天板突起
２９  第２天板突起
Ｔ  内容物
【図１】
0006000547.tif 000002
【図２】
0006000547.tif 000003
【図３】
0006000547.tif 000004
【図４】
0006000547.tif 000005
【図５】
0006000547.tif 000006
【図６】
0006000547.tif 000007
【図７】
0006000547.tif 000008
【図８】
0006000547.tif 000009
【図９】
0006000547.tif 000010